(57)【要約】【課題】セキュリティ性と省電力化を両立可能な情報処理装置等を提供する。【解決手段】情報処理装置Ｓは、１のオペレーティングシステムを起動させるシステム制御部２と、１の当該オペレーティングシステムの起動にともなって駆動するドライブ５と、外部記憶装置３０と接続可能な外部記憶装置Ｉ／Ｆ部７と、他のオペレーティングシステムを記憶した前記外部記憶装置３０と、を備えた情報処理装置Ｓであって、前記システム制御部２は、前記外部記憶装置３０の前記外部記憶装置Ｉ／Ｆ部７との接続によって、前記ドライブ５を停止させるとともに、前記外部記憶装置３０から他のオペレーティングシステムを起動させる。【選択図】図２
2010079572.tif 000002
【特許請求の範囲】
【請求項１】
１のオペレーティングシステムを起動させるシステム制御部と、
前記１の当該オペレーティングシステムの起動にともなって駆動するドライブと、
外部記憶装置と接続可能な外部記憶装置Ｉ／Ｆ部と、
他のオペレーティングシステムを記憶した前記外部記憶装置と、
を備えた情報処理装置であって、
前記システム制御部は、
前記外部記憶装置の前記外部記憶装置Ｉ／Ｆ部との接続によって、前記ドライブを停止させるとともに、前記外部記憶装置から他のオペレーティングシステムを起動させることを特徴とする情報処理装置。
【請求項２】
前記システム制御部は、前記外部記憶装置からの不要デバイス停止要求にしたがって前記ドライブへの電源の供給を停止するとともに、前記外部記憶装置から他のオペレーティングシステムを起動させることを特徴とする請求項１に記載の情報処理装置。
【請求項３】
前記ドライブを停止する直前の作業データの内容を記憶する記憶部を備え、
前記システム制御部は、前記ドライブを停止させる前に前記作業データの内容を前記記憶部に記憶させ、前記外部記憶装置が前記外部記憶装置Ｉ／Ｆから取り外された後に、前記停止したドライブを駆動させ、前記作業データの内容を復帰させることを特徴とする請求項１、又は２に記載の情報処理装置。
【請求項４】
１のオペレーティングシステムを起動させるシステム制御部と、
１の当該オペレーティングシステムの起動によって駆動するドライブと、
外部記憶装置と接続可能な外部記憶装置Ｉ／Ｆ部と、
を備える情報処理装置に用いられる外部記憶装置であって、
前記外部記憶装置には、
他のオペレーティングシステムが予め記憶されており、
前記システム制御部は、
前記外部記憶装置の前記外部記憶装置Ｉ／Ｆ部との接続によって、前記ドライブを停止させるとともに、前記外部記憶装置から他のオペレーティングシステムを起動させることを特徴とする外部記憶装置。
【請求項５】
１のオペレーティングシステムを起動させるシステム制御部と、
１の当該オペレーティングシステムの起動によって駆動するドライブと、
外部記憶装置と接続可能な外部記憶装置Ｉ／Ｆ部と、
他のオペレーティングシステムを記憶した前記外部記憶装置と、
を備えた情報処理装置の制御方法であって、
前記システム制御部は、
前記外部記憶装置の前記外部記憶装置Ｉ／Ｆ部との接続によって、前記ドライブを停止させるとともに、前記外部記憶装置から他のオペレーティングシステムを起動させることを特徴とする制御方法。
【発明の詳細な説明】
【技術分野】
【０００１】
本発明は外部記憶装置を用いた情報処理装置に関する。
【背景技術】
【０００２】
一般的に用いられているＰＣ端末は、内蔵される内部記憶装置（ＨＤＤ）に記憶されているＯＳをメインメモリにてブートし、所定の情報処理動作を行うようになっている。
【０００３】
また、通信システムにおいて、セキュリティ性の向上、または情報漏えいなどを発生させない目的で、必要なアプリケーションプログラムや所定のＯＳをＣＤ−ＲＯＭに記憶させ、所定のＰＣ端末において当該ＯＳをブートさせる方法が存在する。
【０００４】
【特許文献１】特開２００７−７９６１３号公報
【発明の開示】
【発明が解決しようとする課題】
【０００５】
しかしながら、上記通信システムにおいて、コンピュータの機能を限定的に使用する場合には、全く使用しないデバイス（例えば、内部記憶装置）が存在する。これらのデバイスは、使用されることがないにも関わらず、電力を消費するとともに、熱を発生させる要因となる。
【０００６】
そこで、本願は上記問題を課題の一例として為されたもので、セキュリティ性と省電力化を両立可能な情報処理装置等を提供することを目的とする。
【課題を解決するための手段】
【０００７】
上記課題を解決するために、本発明の情報処理装置は、１のオペレーティングシステムを起動させるシステム制御部と、１の当該オペレーティングシステムの起動にともなって駆動するドライブと、外部記憶装置と接続可能な外部記憶装置Ｉ／Ｆ部と、他のオペレーティングシステムを記憶した前記外部記憶装置と、を備えた情報処理装置であって、前記システム制御部は、前記外部記憶装置の前記外部記憶装置Ｉ／Ｆ部との接続によって、前記ドライブを停止させるとともに、前記外部記憶装置から他のオペレーティングシステムを起動させることを特徴とする。
【０００８】
また、本発明の外部記憶装置は、１のオペレーティングシステムを起動させるシステム制御部と、１の当該オペレーティングシステムの起動によって駆動するドライブと、外部記憶装置と接続可能な外部記憶装置Ｉ／Ｆ部と、を備える情報処理装置に用いられる外部記憶装置であって、前記外部記憶装置には、他のオペレーティングシステムが予め記憶されており、前記システム制御部は、前記外部記憶装置の前記外部記憶装置Ｉ／Ｆ部との接続によって、前記ドライブを停止させるとともに、前記外部記憶装置から他のオペレーティングシステムを起動させることを特徴とする。
【０００９】
また、本発明の制御方法は、１のオペレーティングシステムを起動させるシステム制御部と、１の当該オペレーティングシステムの起動によって駆動するドライブと、外部記憶装置と接続可能な外部記憶装置Ｉ／Ｆ部と、他のオペレーティングシステムを記憶した前記外部記憶装置と、を備えた情報処理装置の制御方法であって、前記システム制御部は、前記外部記憶装置の前記外部記憶装置Ｉ／Ｆ部との接続によって、前記ドライブを停止させるとともに、前記外部記憶装置から他のオペレーティングシステムを起動させることを特徴とする。
【発明を実施するための最良の形態】
【００１０】
以下、図面を参照して本発明の最良の実施形態について詳細に説明する。
【００１１】
［１．情報処理装置の構成及び機能概要］
先ず、本実施形態に係る情報処理装置Ｓの構成及び機能概要について、図１を用いて説明する。図１は本実施形態に係る情報処理装置Ｓの概要構成の一例を示す図である。
【００１２】
図１に示すように、情報処理装置Ｓは、クライアント用端末１０と、当該クライアント用端末１０の外部記憶装置３０として機能するＵＳＢメモリ３２と、を含んで構成される。
【００１３】
クライアント用端末１０は、例えば、一般的に用いられるＰＣ（パーソナルコンピュータ）等を適用することができる。当該クライアント用端末１０は、システム制御部２、内部記憶装置として機能するＨＤＤ（Hard Disk Drive）５、キーボードなどと接続される入力Ｉ／Ｆ６、外部記憶装置３０として機能するＣＤ−ＲＯＭ３１、ＵＳＢメモリ３２、ＦＤ３３などと接続される外部記憶装置用Ｉ／Ｆ７、所定の情報を表示するための表示装置１５と接続される出力Ｉ／Ｆ８などを備え、各部はシステムバス２０を介して電気的に接続されている。また、クライアント用端末１０には、図示しないが、起動用の電源スイッチやその他必要に応じた各種デバイスが備えられている。
【００１４】
システム制御部２は、コンピュータとして、演算機能を有するＣＰＵ（Central Processing Unit）３、主メモリとして機能するＲＡＭ４を備えて構成され、情報処理装置Ｓ全体を統括制御する。また、ＨＤＤ５及び外部記憶装置３０には、各種処理用のプログラム（オペレーションシステム（以下、「ＯＳ」と称する）やアプリケーションソフト）が記憶されており、ＣＰＵ３は、例えばＨＤＤ５又は外部記憶装置３０からＲＡＭ４にロードされる各種処理用のプログラムを実行することにより、コンピュータが情報処理装置Ｓとして機能するようになっている。
【００１５】
また、外部記憶装置３０は、システム制御部２によってＯＳを実行させる際に、不要デバイスの電源停止要求を発行する。当該不要デバイスとは、外部記憶装置３０に記憶されているＯＳを起動した際に全く使用されないデバイスをいう。
【００１６】
システム制御部２は、当該電源停止要求を受け付けて、不使用となるデバイス（例えば、ＨＤＤ５）への電源の供給を停止する。この結果、不使用となるデバイスは、ＯＳの起動後、通電するものの、当該電源停止要求の発行に基づいて電力の供給が停止される。よって、省電力化を図れる。
【００１７】
［２．情報処理装置の実施例１］
次に、情報処理装置における制御方法の一例について説明する。なお、以下に説明する実施形態において、外部記憶装置３０の一例としてＵＳＢメモリ３２を用いて説明を行う。当該ＵＳＢメモリ３２には、予め情報処理装置として実行したい各種処理用のプログラム（ＯＳやアプリケーションソフト）が記憶されているものとする。また、外部記憶装置３０が取り付けられている場合には、内部記憶装置よりも優先して当該外部記憶装置３０の処理を行うように予め設定されている。
【００１８】
まず、ユーザによるクライアント用端末１０の電源のＯＮにより、システム制御部２は、外部記憶装置用Ｉ／Ｆ７にＵＳＢメモリ３２が接続されているか否かを判断する（ステップＳ１０１）。この判断が肯定されれば、ステップＳ１０２に進み、否定されれば、ＨＤＤ５から各種処理用のプログラムを読み出して実行し（ステップＳ１０６）、処理を終了する。
【００１９】
次に、ステップＳ１０２では、システム制御部２は、ＵＳＢメモリ３２に記憶されている各種処理用のプログラム（ＯＳなど）をＲＡＭ４に読み出しＣＰＵ３にて実行する。
【００２０】
また、各種処理用のプログラム実行時には、その実行されるソフトの利用状況やシステムの稼動状況、負荷状況などを逐次管理し、その利用状況に応じてシステム制御部２におけるＣＰＵ３の動作周波数（クロック周波数）を変更する。具体的には、例えば、システムが待機状態であることを検知してクロック周波数を低減させる処理を行う。
【００２１】
次に、ステップＳ１０３では、システム制御部２は、ＵＳＢメモリ３２から不要デバイス（例えば、ＨＤＤ５など）への電源停止要求を受信したか否かを判断する。この判断が肯定されれば、ステップＳ１０４に進み、否定されれば、そのまま待機する。
【００２２】
次に、ステップＳ１０４では、システム制御部２は、ＨＤＤ５から情報（各種プログラムなど）の読み出しを禁止するとともに、当該ＨＤＤ５への電源供給を停止する。
【００２３】
次に、システム制御部２は、外部記憶装置用Ｉ／Ｆ７からＵＳＢメモリ３２が取り外されたか否かを判断する（ステップＳ１０５）。この判断が肯定されれば、処理を終了し、否定されれば、当該ＵＳＢメモリ３２が外部記憶装置用Ｉ／Ｆ７から取り外されるまで待機する。
【００２４】
なお、本実施形態では、ＵＳＢメモリ３２から不要デバイスへの電源停止要求を受けてＨＤＤ５への電源供給を停止させるようになっているが、ＵＳＢメモリ３２が外部記憶装置用Ｉ／Ｆ７に接続されているか否かのみによってＨＤＤ５への電源の供給を停止するようにしても構わない。
【００２５】
このように、本発明は、クライアント用端末１０に搭載されているＨＤＤ５以外のＨＤＤ（例えば、ＵＳＢメモリ３２）からＯＳを起動させ、当該起動後の処理に用いるデータ管理などもＵＳＢメモリ３２にて行うようになっているため、情報の漏洩やセキュリティの向上が図れる。また、ＵＳＢメモリ３２にてＯＳを起動する際には、当該ＯＳの起動中、又は起動後に不要なデバイス（例えば、ＨＤＤ５）を停止させる（電源の供給停止）ため、消費電力の低減、デバイスによる熱の排出の低減化を図れる。
【００２６】
［３．情報処理装置の実施例２］
次に、情報処理装置における制御方法の変形例について説明する。なお、以下に説明する実施形態は、所定のＯＳによりコンピュータが起動している最中にＵＳＢメモリ３２が挿入された場合の制御方法について説明するものとする。
【００２７】
まず、ユーザによるクライアント用端末１０の電源のＯＮにより、システム制御部２は、ＨＤＤ５からＲＡＭ４にロードされる各種処理用のプログラムをＣＰＵ３にて実行する（ステップＳ２０１）。
【００２８】
次に、システム制御部２は、各種処理用のプログラムが実行されている最中に、外部記憶装置用Ｉ／Ｆ７にＵＳＢメモリ３２が接続されたか否かを判断する（ステップＳ２０２）。この判断が肯定されれば、ステップＳ２０３に進み、否定されれば、外部記憶装置用Ｉ／Ｆ７にＵＳＢメモリ３２が接続されるまで待機する。
【００２９】
次にステップＳ２０３では、システム制御部２は、現在実行中の作業用データをＨＤＤ５に記憶させる。当該作業用データは、再度、コンピュータを現在実行中の処理に復帰させるために必要なデータである。
【００３０】
次に、ステップＳ２０４では、システム制御部２は、ＨＤＤ５から所定の情報の読み出しを禁止するとともに、当該ＨＤＤ５への電源供給を停止する。
【００３１】
次に、ステップＳ２０５では、システム制御部２は、ＵＳＢメモリ３２に記憶されている各種処理用のプログラム（ＯＳなど）をＲＡＭ４に読み出しＣＰＵ３にて実行する。この処理によって、ユーザは、ＵＳＢメモリ３２に記憶されたＯＳにて実行されるアプリケーションにて特定の作業を行うことができる。
【００３２】
次に、システム制御部２は、外部記憶装置用Ｉ／Ｆ７からＵＳＢメモリ３２が取り外されたか否かを判断する（ステップＳ２０６）。この判断が肯定されれば、ステップＳ２０６に進み、否定されれば、当該ＵＳＢメモリ３２が外部記憶装置用Ｉ／Ｆ７から取り外されるまで待機する。
【００３３】
次に、ステップＳ２０７では、システム制御部２は、ＨＤＤ５への電源の供給を開始し、当該ＨＤＤ５から復帰のための作業用データをＲＡＭ４に読み出しＣＰＵ３にて実行し、処理を終了する。この処理によって、一旦中断された作業データを、再度、復帰させることが可能である。
【００３４】
このように本発明は、クライアント用端末１０に搭載されているＯＳを用いて所定の作業を行っている最中であっても、ＵＳＢメモリ３２を差し込むだけで、ＨＤＤ５に記憶されているＯＳを起動させ作業中の作業データの内容を停止して、当該ＵＳＢメモリ３２に記憶されているＯＳを優先的に起動させ、特定の作業を行うことができる。更に、当該特定の作業を終了後、ＵＳＢメモリ３２を取り外すことによって、停止した作業データの内容に復帰させる。この結果、再度、ＨＤＤ５からＯＳを読み込ませるなどの時間的な無駄を省けるため便利である。
【００３５】
なお、本発明は、上記実施形態そのままに限定されるものではなく、実施段階ではその要旨を逸脱しない範囲で構成要素を変形して具体化することが可能である。例えば、ＵＳＢメモリ３２に変えて、ＣＤ−ＲＯＭ３１やＦＤ３３などを用いても構わない。
【００３６】
また、本発明のＯＳとしてはＬｉｎｕｘ（登録商標）を用いているが、他のＯＳを用いても構わない。
【図面の簡単な説明】
【００３７】
【図１】本発明の情報処理装置の概要構成の一例を示す図である。
【図２】実施例１に係る情報処理装置の制御方法の一例を示すシーケンス図である。
【図３】実施例２に係る情報処理装置の制御方法の一例を示すシーケンス図である。
【符号の説明】
【００３８】
Ｓ  情報処理装置
２  システム制御部
５  ＨＤＤ
１０  クライアント用端末
３０  外部記憶装置
３２  ＵＳＢメモリ
【図１】
2010079572.tif 000003
【図２】
2010079572.tif 000004
【図３】
2010079572.tif 000005
【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
１のオペレーティングシステムを起動させるシステム制御部と、
前記１の当該オペレーティングシステムの起動にともなって駆動するドライブと、
外部記憶装置と接続可能な外部記憶装置Ｉ／Ｆ部と、
他のオペレーティングシステムを記憶した前記外部記憶装置と、
を備えた情報処理装置であって、
前記システム制御部は、
前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする情報処理装置。
【請求項２】
前記ドライブを停止する直前の作業データの内容を記憶する記憶部を備え、
前記システム制御部は、前記ドライブを停止させる前に前記作業データの内容を前記記憶部に記憶させ、前記外部記憶装置が前記外部記憶装置Ｉ／Ｆから取り外された後に、前記停止したドライブを駆動させ、前記作業データの内容を復帰させることを特徴とする請求項１、又は２に記載の情報処理装置。
【請求項３】
１のオペレーティングシステムを起動させるシステム制御部と、
１の当該オペレーティングシステムの起動によって駆動するドライブと、
外部記憶装置と接続可能な外部記憶装置Ｉ／Ｆ部と、
を備える情報処理装置に用いられる外部記憶装置であって、
前記外部記憶装置には、
他のオペレーティングシステムが予め記憶されており、
前記システム制御部は、
前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする外部記憶装置。
【請求項４】
１のオペレーティングシステムを起動させるシステム制御部と、
１の当該オペレーティングシステムの起動によって駆動するドライブと、
外部記憶装置と接続可能な外部記憶装置Ｉ／Ｆ部と、
他のオペレーティングシステムを記憶した前記外部記憶装置と、
を備えた情報処理装置の制御方法であって、
前記システム制御部は、
前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする制御方法。
【手続補正２】
【補正対象書類名】明細書
【補正対象項目名】０００７
【補正方法】変更
【補正の内容】
【０００７】
上記課題を解決するために、本発明の情報処理装置は、１のオペレーティングシステムを起動させるシステム制御部と、１の当該オペレーティングシステムの起動にともなって駆動するドライブと、外部記憶装置と接続可能な外部記憶装置Ｉ／Ｆ部と、他のオペレーティングシステムを記憶した前記外部記憶装置と、を備えた情報処理装置であって、前記システム制御部は、前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする。
【手続補正３】
【補正対象書類名】明細書
【補正対象項目名】０００８
【補正方法】変更
【補正の内容】
【０００８】
また、本発明の外部記憶装置は、１のオペレーティングシステムを起動させるシステム制御部と、１の当該オペレーティングシステムの起動によって駆動するドライブと、外部記憶装置と接続可能な外部記憶装置Ｉ／Ｆ部と、を備える情報処理装置に用いられる外部記憶装置であって、前記外部記憶装置には、他のオペレーティングシステムが予め記憶されており、前記システム制御部は、前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする。
【手続補正４】
【補正対象書類名】明細書
【補正対象項目名】０００９
【補正方法】変更
【補正の内容】
【０００９】
また、本発明の制御方法は、１のオペレーティングシステムを起動させるシステム制御部と、１の当該オペレーティングシステムの起動によって駆動するドライブと、外部記憶装置と接続可能な外部記憶装置Ｉ／Ｆ部と、他のオペレーティングシステムを記憶した前記外部記憶装置と、を備えた情報処理装置の制御方法であって、前記システム制御部は、前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
１のオペレーティングシステムを起動させるシステム制御部と、
前記１の当該オペレーティングシステムの起動にともなって駆動するドライブと、
外部記憶装置と接続可能な外部記憶装置Ｉ／Ｆ部と、
他のオペレーティングシステムを記憶した前記外部記憶装置と、
を備えた情報処理装置であって、
前記システム制御部は、
前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする情報処理装置。
【請求項２】
前記ドライブを停止する直前の作業データの内容を記憶する記憶部を備え、
前記システム制御部は、前記ドライブを停止させる前に前記作業データの内容を前記記憶部に記憶させ、前記外部記憶装置が前記外部記憶装置Ｉ／Ｆから取り外された後に、前記停止したドライブを駆動させ、前記作業データの内容を復帰させることを特徴とする請求項１に記載の情報処理装置。
【請求項３】
１のオペレーティングシステムを起動させるシステム制御部と、
１の当該オペレーティングシステムの起動によって駆動するドライブと、
外部記憶装置と接続可能な外部記憶装置Ｉ／Ｆ部と、
を備える情報処理装置に用いられる外部記憶装置であって、
前記外部記憶装置には、
他のオペレーティングシステムが予め記憶されており、
前記システム制御部は、
前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする外部記憶装置。
【請求項４】
１のオペレーティングシステムを起動させるシステム制御部と、
１の当該オペレーティングシステムの起動によって駆動するドライブと、
外部記憶装置と接続可能な外部記憶装置Ｉ／Ｆ部と、
他のオペレーティングシステムを記憶した前記外部記憶装置と、
を備えた情報処理装置の制御方法であって、
前記システム制御部は、
前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする制御方法。
【手続補正書】
【提出日】平成21年7月13日(2009.7.13)
【手続補正１】
【補正対象書類名】特許請求の範囲
【補正対象項目名】全文
【補正方法】変更
【補正の内容】
【特許請求の範囲】
【請求項１】
１のオペレーティングシステムを起動させるシステム制御部と、
前記１の当該オペレーティングシステムの起動にともなって駆動するドライブと、
外部記憶装置と接続可能な外部記憶装置Ｉ／Ｆ部と、
他のオペレーティングシステムを記憶した前記外部記憶装置と、
を備えた情報処理装置であって、
前記システム制御部は、
前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする情報処理装置。
【請求項２】
前記ドライブを停止する直前の作業データの内容を記憶する記憶部を備え、
前記システム制御部は、前記ドライブを停止させる前に前記作業データの内容を前記記憶部に記憶させ、前記外部記憶装置が前記外部記憶装置Ｉ／Ｆから取り外された後に、前記停止したドライブを駆動させ、前記作業データの内容を復帰させることを特徴とする請求項１に記載の情報処理装置。
【請求項３】
１のオペレーティングシステムを起動させるシステム制御部と、
１の当該オペレーティングシステムの起動によって駆動するドライブと、
外部記憶装置と接続可能な外部記憶装置Ｉ／Ｆ部と、
を備える情報処理装置に用いられる外部記憶装置であって、
前記外部記憶装置には、
他のオペレーティングシステムが予め記憶されており、
前記システム制御部は、
前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする外部記憶装置。
【請求項４】
１のオペレーティングシステムを起動させるシステム制御部と、
１の当該オペレーティングシステムの起動によって駆動するドライブと、
外部記憶装置と接続可能な外部記憶装置Ｉ／Ｆ部と、
他のオペレーティングシステムを記憶した前記外部記憶装置と、
を備えた情報処理装置の制御方法であって、
前記システム制御部は、
前記外部記憶装置の前記外部記憶装置Ｉ／Ｆ部との接続によって、前記外部記憶装置からの不要デバイス停止要求にしたがって前記ドライブへの電源の供給を停止して前記ドライブを停止させるとともに、前記外部記憶装置から他のオペレーティングシステムを起動させることを特徴とする制御方法。